(57)【要約】【課題】起立性低血圧を経験するヒト（特に長期間の激しい動きのない起立または着席がいつも生じそしてこれらの静的姿勢により生ずる低下した血液の循環及び潅流から生ずる骨及び筋肉の損失の顕著な低下を生ずるかもしれない、職業、ヘルスケアまたは家庭の環境にあるヒト）を治療する非侵襲性方法及び装置の提供。【解決手段】起立性低血圧に治療効果を与えるのに充分な期間及び少なくとも１つの振動数の治療中、ヒトの下肢の身体部分に振動の力を付与するように構成された振動メカニズム；及び身体部分が動かないことを感知する転位センサーからまたは手動で設定可能なコントロールから受け取られた少なくとも１つの信号に応じて振動メカニズムの作動をコントロールする処理ユニットからなる起立性低血圧を治療する装置及び方法。
2005505348.tif 000002
【特許請求の範囲】
【請求項１】
起立性低血圧に治療効果を与えるのに充分な期間及び少なくとも１つの振動数の治療中、ヒトの下肢の身体部分に振動の力を付与するように構成された振動メカニズム；及び
身体部分が動かないことを感知する転位センサーからまたは手動で設定可能なコントロールから受け取られた少なくとも１つの信号に応じて振動メカニズムの作動をコントロールする処理ユニット
からなることを特徴とする起立性低血圧を治療する装置。
【請求項２】
該振動メカニズムが、振動プラットホーム上に位置する該身体部分に振動の力を付与するための期間及び少なくとも１つの振動数で該振動プラットホームを振動する振動プラットホームの下に設けられている請求項１の装置。
【請求項３】
期間が２−２０分の範囲にある請求項１の装置。
【請求項４】
手動で設定可能なコントロールが、期間及び少なくとも１つの振動数を設定する手段を含む請求項１の装置。
【請求項５】
少なくとも１つの振動数が１０−１２０Ｈｚの範囲にある請求項１の装置。
【請求項６】
少なくとも１つの振動数が４０−６０Ｈｚの範囲にある請求項１の装置。
【請求項７】
周期的または不規則的な基準に基づいて振動メカニズムを作動する処理ユニットにより実行されるように構成されたプログラム可能な指令のセットをさらに含む請求項１の装置。
【請求項８】
該身体部分に該装置を確保するための確保メカニズムをさらに含む請求項１の装置。
【請求項９】
該処理ユニットを遠隔操作するための遠隔コントロール手段をさらに含む請求項１の装置。
【請求項１０】
振動の加速が０．１ｇ／サイクルから０．２ｇ／サイクルの範囲にあって身体部分の皮膚表面を１０−５０ミクロン押し下げる請求項１の装置。
【請求項１１】
ヒトの下肢の身体部分の付近に振動メカニズムを設ける段階；及び
起立性低血圧に治療効果をもたらすのに充分な少なくとも１つの振動数でその振動を
生じさせるために身体部分に振動力を付与する期間で振動メカニズムを作動する段階
からなることを特徴とする起立性低血圧を治療する非侵襲性方法。
【請求項１２】
少なくとも１つの振動数が１０−１２０Ｈｚの範囲にある請求項１１の方法。
【請求項１３】
少なくとも１つの振動数が４０−６０Ｈｚの範囲にある請求項１１の方法。
【請求項１４】
期間が２−２０分の範囲にある請求項１１の方法。
【請求項１５】
作動段階前に予定された期間について身体部分が動かないことを感知する段階をさらに含む請求項１１の方法。
【請求項１６】
作動段階が周期的または不規則の基準に基づいて繰り返される請求項１１の方法。
【請求項１７】
設置段階が、身体部分に近く配置されるように構成された装置内に振動メカニズムを設けるか、または身体部分に近く振動プラットホームを設ける段階からなる請求項１１の方法。
【請求項１８】
作動段階が、骨格筋ポンプを刺激する段階からなる請求項１１の方法。
【請求項１９】
作動段階前に予定された期間及び少なくとも１つの振動数を手動で設定する段階をさらに含む請求項１１の方法。
【請求項２０】
ヒトが静的姿勢をとっている間ヒトの少なくとも１つの下肢に振動力を適用する段階；
振動力を適用している間ヒトの少なくとも１つの生理学的反応を測定する段階；及び
コントロールのデータと少なくとも１つの測定した生理学的反応とを比較することにより少なくとも１つの下肢への血流の顕著な低下があるかないかを決定する段階
からなることを特徴とするヒトが起立性低血圧の治療を必要とするかどうかを決定する非侵襲性方法。
【請求項２１】
コントロールのデータが、ヒトが仰臥位をとっているときに振動力が少なくとも１つの下肢に適用されたときの少なくとも１つの生理学的反応を示す測定データを含む請求項２０の方法。
【発明の詳細な説明】
【技術分野】
【０００１】
本発明は、医学的治療方法及びそれを行うための装置に関する。さらに特に、本発明は、起立性低血圧を治療するための非侵襲性方法及び装置に関する。
【背景技術】
【０００２】
低血圧は、異常に低い血圧として現れる。起立性低血圧は、長期間の激しい動きのない起立または着席により、または着席または着床から起立の位置への位置の急激な変化により生ずる病状である。起立性低血圧の作用は、主として年令に依存し、そして高い率の骨の損失及び筋肉の退化を含む。これらの作用は、身体が長期間の静的な直立姿勢にあるとき、下肢の血液及び流体の流れの低下に主に起因する。
【０００３】
血流を維持するのに寄与する骨格筋ポンプの能力が、年令及び／または体格の関数としてかなり変化することが知られている。例えば、閉経後の女性のデータは、起立病にうまく適合しない女性の亜群が存在することを示している。拡張期の圧及び／または脈拍数において対応する顕著な上昇がなにもないのに収縮期の圧が低下することは、多くの閉経後の女性にとって、長期間にわたって直立の位置にあるとき、下肢への顕著に低下した血流がある可能性を示し、その反応は骨の損失及び筋肉の退化の高い率と矛盾することがない。
【０００４】
起立性低血圧を治療する最近の方法は、ヒトに弾性のあるストッキングをはかせることを含む。ヒトは、一般に、もし直立の姿勢にあるときこの血圧が２０ｍｍ／Ｈｇより大きく低下するならば、またはヒトが起立性低血圧の明らかな徴候例えば失神を示すならば、弾性のあるストッキングが処方される。
【発明の開示】
【発明が解決しようとする課題】
【０００５】
従って、起立性低血圧を経験するヒト（特に長期間の激しい動きのない起立または着席がいつも生じそしてこれらの静的姿勢により生ずる低下した血液の循環及び潅流から生ずる骨及び筋肉の損失の顕著な低下を生ずるかもしれない、職業、ヘルスケアまたは家庭の環境にあるヒト）を治療する非侵襲性方法及び装置を必要としている。
【課題を解決するための手段】
【０００６】
それゆえ、起立性低血圧を治療しそして起立性低血圧から生ずる作用を低下させる非侵襲性方法及び装置を提供するのが本発明の目的である。
【０００７】
起立性低血圧を治療しそして起立性低血圧から生ずる作用を低下させる非侵襲性方法及び装置が明らかにされる。この非侵襲性方法及び装置は、ヒトが長期間静的姿勢例えば着席、起立または他の正立した静的姿勢にあるとき、ヒトの下肢の血液及び流体の流れを増加できる。下肢の血液及び流体の流れの増加は、１０−１２０Ｈｚの範囲そして好ましくは４０−６０Ｈｚの範囲の振動数でヒトの下方の身体を振動することにより達成される。振動の加速は、皮膚の表面を１０−５０ミクロン押し下げるために、約０．１ｇ／サイクルより大きいが約１．０ｇ／サイクルより小さく（但し、ｇ＝９．８ｍ／ｓ２である）、そして好ましくは０．１ｇ／サイクルから０．２ｇ／サイクルである。振動は、一様であるか、断続的であるか、大きさを変えるかなどである。
【０００８】
下方の身体は、振動プラットホーム例えば米国特許５３７６０６５、５２７３０２８、５１９０８００及び５１０３８０６に記載されたもの（これらの特許の内容は参考として本明細書に引用される）の上にヒトを載せることにより振動できる。
【０００９】
下方の身体は、また本発明の装置により振動できる。装置は、長期間の激しい動きのない起立または着席がいつも生ずる、多くの環境例えば職業、ヘルスケアまたは家庭の環境における起立性低血圧について、ヒトを治療する。装置は、ヒトの下肢例えばヒトの足の裏の身体部分に確保されるためのひも、並びに身体部分のどんな動きでも感知する転位センサーを含む。
【００１０】
転位センサーは、身体部分のどんな実質的な動き例えば１０ｃｍより大きいものが存在するかどうかを示す装置のプロセッサに信号を連続的に送る。もし転位センサーが、予定された期間例えば５分間身体部分のどんな実質的な動きも感知しなかったならば、ヒトが実質的に静的な姿勢にあることが決定され、そしてプロセッサは振動メカニズムに信号を送る。振動は振動メカニズムを作動し、身体部分に振動を生じさせて下肢の血液及び流体の流れを増加させる。振動メカニズムは、予定された期間例えば２−２０分間、または身体の動きが転位センサーにより検出されるまで、身体部分の振動を生じさせる。
【００１１】
装置のコントロールは、ヒトが、予定された期間及び他のパラメータ例えば振動メカニズムが振動する振動数を選択し設定することができ、さらに装置を止めることができる。コントロールは、また振動メカニズムの自動作動をバイパスするのに使用できる。すなわち、コントロールは、振動メカニズムの直接的な電気刺激を生ずるのに使用でき、機械的な転位センサーをバイパスし、たとえ彼らの振動を触知する感覚の能力を殆どではないにしても多くを失っている老人においても強い反応を可能にする。コントロールは、ヒトがどんな身体の位置にあっても装置を容易にコントロールできるワイヤレスまたは非ワイヤレスの遠隔コントロールの配置が提供される。
【００１２】
足の裏がバイパスされ、神経筋肉系が、アキレス腱のレベルで刺激され、骨格筋の活動を引き起こすことも包含される。筋肉本体それ自体を刺激して筋肉の単攣（れん）縮従って骨格筋ポンプ活動を直接生成させることも包含される。
【００１３】
本発明の方法及び装置の可能な適用は、長期間の激しい動きのない起立または着席が要求されさらに生理学的及び精神的な疲労並びに低下した血液及び流体の流れに伴う他の病態生理学的反応（例えば、これらの静的姿勢により生ずる低下した潅流から生ずる使用しないことによる骨及び筋肉の損失を含む）の顕著な低下をもたすであろう職業、ヘルスケアまたは家庭の環境で考えられる。
【００１４】
上記の態様のさらなる特徴は、図面に関連して装置の以下の記述から当業者にとり容易に明らかになるだろう。
【００１５】
以下は、起立性低血圧を治療する非侵襲性方法及び装置を記述している。一度でもヒトが起立性低血圧を経験していると決定されるかまたはヒトが起立性低血圧になりそうなときには、ヒトは本発明の方法及び装置により治療できる。しかし、たとえもしヒトが起立性低血圧を経験しているかまたは起立性低血圧になりそうという決定がなされていないにしても、本発明の方法及び装置によりヒトを治療できることが理解されるべきである。
【００１６】
本発明の方法及び装置を記述する前に、ヒトが起立性低血圧を経験しているかどうかまたは経験し勝ちであるかどうかをいかに決定するかの記述を提供する。２例の研究が以下に提供され、それは若い健康な女性（１８歳）及び閉経後の女性（４６歳）について起立性のストレスすなわち激しい動きのない起立中の血流の下肢の振動の影響を説明している。ヒトは、米国特許５３７６０６５、５２７３０２８、５１９０８００及び５１０３８０６（これらの特許の内容は参考として本明細書に引用される）に記載されたような振動プラットホーム上に乗った。振動プラットホームは、３７Ｈｚ、０．２ｇ（但しｇ＝９．８ｍ／ｓ２）のピーク間の垂直な全身の振動で振動するように設定された。
【００１７】
以下の研究は、起立性ストレス中の下肢を振動することは、振動なしの生理学的反応と比較したとき、下肢の増大した血液及び流体の流れを示す老人の実質的な生理学的反応を導くことを示し、老人が起立性低血圧を経験しつつあることを示す。より若いヒトは、振動がないときに比較したとき、振動中実質的な生理学的反応を経験することがなく、振動が下肢の血液及び流体の流れを増大させることを助けるが、治療がヒトにとって本当に必要ではないことを示す。
【００１８】
研究中の２人のヒトについて記録された生理学的反応は、収縮期及び拡張期の血圧並びに脈拍数を含む。図１−４は、より若いそしてより年とったヒトに関する収縮期及び拡張期の血圧の変化並びに心拍数の変化を示しており、ヒトは、支持体１６を保持して胸の高さに手をおいて（図５参照）起立した姿勢（時間零で起立を始めた）をとり、１０分後仰臥位になった（第一のデータのポイント）。
【００１９】
仰臥位から正立の着席または起立に動くと、重力が、下肢に血液の急速な（数分のオーダー）溜まりを生ずる。適切な筋肉のポンプの活動がないとき（すなわち、脚における筋肉の攣縮）、収縮期の血圧は、心臓の不適切な補充により低下する。心拍数は、通常、増大して１拍動あたりポンプされる低下した血液の体積を相殺するが、しかし、この相殺は決して完全ではない。同時に、血管攣縮は、溜まりに利用できる血管の体積を低下させるように働くが、これは増加した拡張期の圧をもたらす。起立性ストレスへこれらの正常な生理学的反応を適切に行うことができないことは、めまい、失神、筋肉疲労及び萎縮並びに骨の萎縮（すなわち骨そしょう症）を含む重大な影響をもたらすが、本質的にすべてのヒトは、激しい動きのない起立及び着席中いくらかの低下した血液及び流体の流れ、従って明白な生理学的ストレスを経験する。
【００２０】
図１−４の各データのポイントが、研究のプロトコールの４回の繰り返しの平均を表していることに注意すべきである。
【００２１】
図１により示されるように、振動なしでは、より若いヒトの生理学的反応は、以下の通りである。一過性の活動の次に、収縮期の血圧は緩やかな低下を始め、血液及び間質液の下肢の溜まりと一致する。周期的な血管攣縮は、時間で変化する拡張期の圧を生じ、そして心拍数は僅かに増加する。これらの生理学的反応は、下肢への適切な流れを示し、すなわちこれらの生理学的反応は起立性低血圧のこれらの指標とは一致しない。
【００２２】
図２に関連し、全身の振動は、若い成人の女性における起立性ストレスへの生理学的反応に関する小さいが明らかに明白な作用を有する。収縮期の血圧の低下は排除され、そしてその結果、心拍数は仰臥位のレベル以下に維持される。従って、若い成人の女性は、静的姿勢を維持しても起立性低血圧を経験しないかまたは経験しそうにない。
【００２３】
年とったヒトにおける起立性ストレスへの反応は、より若いヒトにおいて観察したものとは明らかに異なる。４６歳の女性の場合では、図３に示されるように、収縮期の血圧は起立で実質的に低下し、そしてこれは脈拍数の急な増加により相殺される。拡張期の血圧におけるどんな顕著な増加の徴候もほとんどないように思われ、末梢の抵抗が増加していない、すなわちヒトが適切な骨格筋のポンプ及び血管攣縮の活動の両者を欠いていることを示唆している。拡張期の血圧及び／または脈拍数のどんな対応する顕著な上昇がないときに低下する収縮期の血圧は、下肢における血液の顕著な溜まりの可能性を示す。そのため、より年とった成人の女性は、静的姿勢を維持することにより起立性低血圧を経験している。
【００２４】
図４に関して、この女性に振動を与えると、起立性ストレスへの生理学的反応の改善を生ずる。振動が存在すると、収縮期の血圧は無視できるほど低下し、逆に、拡張期の血圧は急に増加し、そして持続する。脈拍数は、記録した１２分間にわたって徐々に増加するように見える。
【００２５】
本発明の１つの方法に従って、図５に示されるように、振動テーブル１０を使用して足の裏に適用される振動または全身の振動は、神経感覚の活動を刺激するのに充分であり、心臓への適切な血液及び間質液の戻りを確実にするのに充分な筋肉の活動を生ずる反射弓の対応する活動をもたらす。それゆえ、足に基づく振動の効果は、下肢への適切な栄養素の流れの維持の他に、それによりこれらの領域の神経、筋肉及び骨組織を維持するばかりでなく、上方の身体及び大脳の活動を維持する。
【００２６】
図５は、本発明による治療方法を行っているヒトを示す。ヒトは、振動テーブル１０の上に起立している。例えば１０分間のような予定された時間テーブル１０により発生する振動は、ヒトの身体を通して伝達される。振動は、振動テーブル１０の起立プラットホーム１４に位置しそしてそれに付着しているモーターにより動かされるスプリングメカニズム１２により発生する。振動は、また、その上に起立プラットホーム１４が置かれている起立プラットホーム１４の下に付着した複数のモーターで動かされないスプリングまたはコイルにより発生されることも包含する。
【００２７】
振動テーブル１０により生ずる振動数は、１０−１２０Ｈｚの範囲にあり、振動の加速は、皮膚の表面を１０−５０ミクロン押し下げるために、０．１−１．０ｇ／サイクル（但し、ｇ＝９．８ｍ／ｓ２である）そして好ましくは０．１−０．２ｇ／サイクルの範囲にある。好ましくは、振動テーブル１０の振動数は、４０−６０Ｈｚの範囲にある。振動波は、好ましくは正弦波であるが、他の波形も包含される。振動は、一様であるか、断続的であるか、大きさが変わるかなどである。
【００２８】
起立プラットホーム１４の振動負荷の振動数は、容易に調節できて、姿勢をコントロールする過程における特定の機械受容器、すなわち皮膚受容器、ゴルジ終末、筋紡錘などの集中した治療を可能にする。起立プラットホーム１４の振動負荷の大きさは、０．０５−０．５ｇに容易にコントロールできる。
【００２９】
足の表面では、主要な感覚系は、ルッフィニ小体、マイスネル小体及びパチニ小体を含む。さらに、下肢のゴルジ終末及び筋紡錘は、感覚導入の過程で重要な役割をはたすだろう。
【００３０】
５つの異なる感覚システムが足に基づく振動の検出及び骨格筋ポンプ活動従って心臓血管系へのその影響に主要な役割をはたしているために、一連の振動数の掃引の検討を行って、観察される生理学的反応の振動数の反応特性を特定した。それぞれの感覚系は異なる振動数反応の特性を明らかにしているため、これは、骨格筋ポンプのコントロールへの最も重要な原因の同定を可能にするだろう。
【００３１】
３０人の健康な女性のボランティア（３０−８０歳）がこの研究に参加した。各人は、それぞれ０．２ｇ（但し、ｇ＝９．８ｍ／ｓ２である）で０−１２０Ｈｚに及ぶ７回の別々の振動を受けて治療された。特定の治療の振動数は、０、１５、２２、４４、６０、８４及び１２０Ｈｚを含んだ。すべての治療は、振動プラットホーム上に足（靴なし）を置いた着席の位置の被験者についてなされた。収縮期及び拡張期の血圧は、振動の治療の前後に測定された。心拍数は、治療中連続的にモニターされた。これらの測定に基づいて、４つの普通の誘導された心血管のパラメータ、すなわち心拍数と圧との積の変化、平均の動脈圧の変化、心拍出量の変化及び左心仕事量の変化を測定できた。
【００３２】
図６Ａ−６Ｄにより示される結果は、いかに足における低レベルの振動（被験者は着席した位置にある）が起立性ストレスの作用を顕著に阻害できるかを明らかに立証している。さらに、心血管反応の明白な振動数の依存性は明らかであり、ピークの感度は平均動脈圧（ＭＡＰ）及び関連するパラメータについて４０−６０Ｈｚの付近で生じ、心拍数と圧との積では６０−９０Ｈｚの範囲で生ずる。４０−６０Ｈｚの範囲では、ＭＡＰの計算は、起立性ストレス（正立した激しい動きのない着席）に対する生理学的反応が、低レベル（０．２ｇ）の足に基づく振動によりほとんど完全に排除できることを示す。
【００３３】
これらの実験では、全身の振動は刺激物として利用されたが、骨格筋ポンプ反応として全身の振動を必要とせず、下肢における振動感覚系の刺激のみを必要とするため、図７及び８に関連して以下に記述される本発明の装置が、下肢における振動感覚系を刺激し、従って骨格筋ポンプ活動について、同様な反応を生成できることは明らかである。
【００３４】
本発明の装置の主な主な目的は、１０−１２０Ｈｚの振動数の範囲そして好ましくは４０−６０Ｈｚの範囲で、足の裏または他の下肢の身体部分で少なくとも１０ミクロメートルの範囲の転位を達成すること、さらにこれらの振動数が、ヒトが少なくとも１つの機械的な転位センサーにより測定される実質的に静的姿勢をとっている間、予定された期間例えば２−２０分間維持されることである。
【００３５】
図７及び８に関連して、装置１００は、ヒトの下肢の身体部分例えば図８に示されるようなヒトの足の裏に確保されるためのひもアセンブリ１０２（または他の固定アセンブリ）、並びに身体部分のどんな実質的な動きも感知する転位センサー１０４を含む。転位センサー１０４は、身体部分のどんな実質的な動き例えば１０ｃｍ以上があったかどうかを示す装置１００のプロセッサ１０６へ連続的に信号を送る。もし転位センサー１０４が予定された期間例えば５分間身体部分のどんな実質的な動きをも感知しなかったならば、ヒトが実質的に静的姿勢にあることがプロセッサ１０６により決定され、そしてプロセッサ１０６は、振動メカニズム１０８へ振動メカニズムコントロール信号、ＶＭコントロール信号を送る。
【００３６】
ＶＭコントロール信号は、振動メカニズム１０８を作動し、振動メカニズム１０８内の少なくとも１つの振動センサー１０９を振動させ、それにより身体部分を振動させそして上記のように下肢の血液及び流体の流れを増加させるために、身体部分に振動力を付与する。振動メカニズム１０８は、予定された期間例えば２−２０分間、または身体の動きが転位センサー１０４により検出されるまで、身体部分の振動を生じさせる。振動は、一様であるか、断続的であるか、大きさを変えるかなどである。
【００３７】
予定の期間後、プロセッサ１０６は、振動メカニズム１０８にカット・オフ振動メカニズム信号、ＶＭカット・オフ信号を送り、振動メカニズム１０８を不作動にし、身体部分の振動を止める。過程は、次に、転位センサー１０４が身体部分の動きを感知するかまたはヒトがコントロール１１０を使用して装置をターン・オフするまで、周期的または不規則的なやり方でそれ自体を繰り返す。
【００３８】
装置１００のコントロール１１０は、さらにヒトが予定された期間や他のパラメータ例えば振動メカニズムが振動する振動数、並びに装置１００のターン・オフを選択かつ設定することを可能にする。設定パラメータは、使用者のコントロール信号としてプロセッサ１０６に伝達される。プロセッサ１０６は、使用者のコントロール信号を使用して、使用者の選択された設定に従って装置１００をコントロールする。
【００３９】
コントロール１１０は、また使用されて、もし転位センサー１０４が予定された期間内にどんな実質的な動きも感知しないならば、ＶＭコントロール信号を伝達するプロセッサ１０６によって振動メカニズム１０８の自動作動をバイパスすることができる。すなわち、コントロール１１０は使用されて、振動メカニズム１０８の直接的な電気刺激を生じさせ、それにより機械的な転位センサー１０４をバイパスして、たとえ彼らの振動を触知する感覚の能力を殆どではないにしても多くを失っている老人でも強い反応を可能にする。
【００４０】
コントロール１１０が、どんな身体の位置にあってもそしてどんな条件にあっても、プロセッサ１０６の操作をコントロールすることにより、ヒトが装置１００を容易にコントロールできるように、ワイヤレスまたは非ワイヤレス遠隔コントロールに配置されることも提供される。さらに、プロセッサ１０６が、装置１００がその機能を行うために、プロセッサ１０６によって実施できる貯蔵モジュール内にプログラム可能な指令のセットを含むことが提供される。装置１００は、さらに装置１００の種々の部品に動力をあたえるために、そのなかに電池１１２の置換用の電池コンパートメント（図示せず）を含む。
【００４１】
最適の結果のために、１つは１つの下肢に確保されそして他は他の下肢に確保されている２つの同時に操作される装置が利用できることも注意すべきである。
【００４２】
足の裏ではなくアキレス腱のレベルで神経筋肉系が刺激されて骨格筋の活動を引き起こすことも包含される。さらに、筋肉本体そのものを刺激して筋肉の単攣縮そして従って骨格筋ポンプ活動を直接生じさせることも包含される。また、履き物例えば靴または靴下内に装置を設け、治療中ヒトの足の裏付近に装置を容易に配置することも包含される。
【００４３】
記述された方法及び装置の可能な適用は、長期間の激しい動きのない起立または着席が要求されさらに生理学的及び精神的な疲労並びに低下した血液及び流体の流れに伴う他の病態生理学的反応（例えば、これらの静的姿勢により生ずる低下した潅流から生ずる使用しないことによる骨及び筋肉の損失を含む）の顕著な低下をもたすであろう職業、ヘルスケアまたは家庭の環境で考えられる。
【００４４】
本発明の方法及び装置は、ヒトが、どんな環境にあっても、そして実質的にどんな活動例えばタイピングを行っていても、そして航空機、列車、自動車または他の車両の旅客であっても、またヒトが睡眠または休息していても、起立性低血圧について治療されることを可能にする。本発明の方法及び装置によりもたらされる他の利点は、ヒトにとり訓練／修得がほとんどまたは全く必要でなく、装置を構築するのに安価であり、その小さいサイズ及び軽い重量は収納、貯蔵及び使用に都合がよく、短い治療期間（振動期間あたり約２分間）で顕著な効果が得られ、患者が起立、着席またはどんな他の正立した静的姿勢にある間装置を使用する治療方法を行うことができ、そして起立性低血圧のための他の治療がこれらのヒトの生理学的能力を越えている衰弱した老人に装置を使用できる。
【００４５】
本発明は好ましい態様について記述されたが、変化及び修飾が本発明の範囲及び趣旨から離れることなく、それについてできることは、当業者にとり容易に明らかであろう。
【図面の簡単な説明】
【００４６】
【図１】若い成人の女性に関するいくつかの生理学的反応に対する振動なしの振動の影響を示すグラフである。
【図２】若い成人の女性に関するいくつかの生理学的反応に対する全身の振動の影響を示すグラフである。
【図３】閉経後の女性に関するいくつかの生理学的反応に対する振動なしの振動の影響を示すグラフである。
【図４】閉経後の女性に関するいくつかの生理学的反応に対する全身の振動の影響を示すグラフである。
【図５】本発明の方法による起立性低血圧の振動治療を行う患者による振動プラットホームを示す等尺図である。
【図６】着席した位置の３０人の振動の振動数の関数として誘導された心血管パラメータを示すグラフである。
【図７】本発明による起立性低血圧を治療する装置のブロックダイアグラムである。
【図８】本発明の装置を使用する起立性低血圧のための振動治療をうけるように構成された患者の足の拡大透視図である。
【符号の説明】
【００４７】
１０          振動テーブル
１２          モーターで動くスプリングメカニズム
１４          起立プラットホーム
１６          支持体
１００        装置
１０２        ひもアセンブリ
１０４        転位センサー
１０６        プロセッサ
１０８        振動メカニズム
１０９        振動センサー
１１０        コントロール
１１２        電池
【国際公開パンフレット】
2005505348.tif 000003
2005505348.tif 000004
2005505348.tif 000005
2005505348.tif 000006
2005505348.tif 000007
2005505348.tif 000008
2005505348.tif 000009
2005505348.tif 000010
2005505348.tif 000011
2005505348.tif 000012
2005505348.tif 000013
2005505348.tif 000014
2005505348.tif 000015
2005505348.tif 000016
2005505348.tif 000017
2005505348.tif 000018
2005505348.tif 000019
2005505348.tif 000020
2005505348.tif 000021
2005505348.tif 000022
2005505348.tif 000023
2005505348.tif 000024
2005505348.tif 000025
2005505348.tif 000026
2005505348.tif 000027
【国際公開パンフレット（コレクトバージョン）】
2005505348.tif 000028
2005505348.tif 000029
2005505348.tif 000030
2005505348.tif 000031
2005505348.tif 000032
2005505348.tif 000033
2005505348.tif 000034
2005505348.tif 000035
2005505348.tif 000036
2005505348.tif 000037
2005505348.tif 000038
2005505348.tif 000039
2005505348.tif 000040
2005505348.tif 000041
2005505348.tif 000042
2005505348.tif 000043
2005505348.tif 000044
2005505348.tif 000045
2005505348.tif 000046
2005505348.tif 000047
2005505348.tif 000048
2005505348.tif 000049
2005505348.tif 000050
2005505348.tif 000051
2005505348.tif 000052
【国際調査報告】
2005505348.tif 000053
2005505348.tif 000054
2005505348.tif 000055
2005505348.tif 000056